(57)【要約】【課題】定格電圧以上の電源と接続された場合に、完結的に二次側回路への電源供給を停止することで、二次側回路の過電圧保護を行うことが可能な電源供給回路、及びこの電源供給回路を備える電子機器の提供を目的とする。【解決手段】入力された交流電源をもとに二次側回路に供給するための所定電圧の電源を生成して供給する電源供給回路において、前記入力された交流電源をもとに二次側回路の通常駆動時に使用されるメイン電源を生成する第一の電源生成回路と、前記入力された交流電源をもとに、前記メイン電源より電圧値が低い第二電源を生成する第二の電源生成回路と、前記第二の電源生成回路からの出力電圧を検出し、同電圧値が所定値以上である場合は、前記第一の電源生成回路への前記交流電源の入力を遮断する保護回路と、を有する。【選択図】図２
2012147539.tif 000002
【特許請求の範囲】
【請求項１】
入力された交流電源をもとに二次側回路に供給するための所定電圧の電源を生成して供給する電源供給回路において、
前記入力された交流電源をもとに二次側回路の通常駆動時に使用されるメイン電源を生成する第一の電源生成回路と、
前記入力された交流電源をもとに、前記メイン電源より電圧値が低い第二電源を生成する第二の電源生成回路と、
前記第二の電源生成回路からの出力電圧を検出し、同電圧値が所定値以上である場合は、前記第一の電源生成回路への前記交流電源の入力を遮断する保護回路と、を有することを特徴とする電源供給回路。
【請求項２】
前記第二の電源生成回路が生成する電源は、二次側回路のスタンバイモード時に使用されるスタンバイ用電源であることを特徴とする請求項１に記載の電源供給回路。
【請求項３】
前記保護回路は、前記交流電源を前記第一の電源生成回路へ供給する経路の接点を開閉するリレーを備え、前記第二の電源生成回路から出力される電源の電圧が所定の閾値以上である場合は、前記リレーにより接点を開放することで前記交流電源の供給を停止することを特徴とする請求項１又は請求項２のいずれかに記載の電源供給回路。
【請求項４】
前記保護回路は、前記第二の電源生成回路とカソードで接続されたツェナーダイオードを有し、前記第二の電源生成回路から出力される電源の電圧により前記ツェナーダイオードが降伏した場合に、前記出力された電源の電圧が所定値以上であると判断することを特徴とする請求項１から請求項３のいずれか一項に記載の電源供給回路。
【請求項５】
前記保護回路は、ステップ状の交流電源の入力波形を鈍らせる抵抗とコンデンサーにより構成されたＲＣ回路を備えることを特徴とする請求項１から請求項４のいずれか一項に記載の電源供給回路。
【請求項６】
入力された交流電源をもとに所定電圧の電源を生成して供給する電源供給回路と、前記電源供給回路により生成された電源をもとに駆動を行う二次側回路とを有する電子機器において、
前記電源供給回路は、
前記入力された交流電源をもとに二次側回路の通常駆動時に使用されるメイン電源を生成する第一の電源生成回路と、
前記入力された交流電源をもとに、前記メイン電源より電圧値が低い第二電源を生成する第二の電源生成回路と、
前記第二の電源生成回路からの出力電圧を検出し、同電圧値が所定値以上である場合は、前記第一の電源生成回路への前記交流電源の入力を遮断する保護回路と、を有することを特徴とする電子機器。
【発明の詳細な説明】
【技術分野】
【０００１】
本発明は、電源を供給するための電源供給回路、及びこの電源供給回路を備える電子機器に関する。
【背景技術】
【０００２】
従来、電子機器は、複数の電圧から成る電源によりその駆動を行っている。また、電子機器は、その内部に上記電源を生成するための電源供給回路を備えており、外部電源からＡＣ入力を受け、このＡＣ入力から所定の電圧を備える電源を生成している。例えば、電源供給回路の一例として、整流・平滑回路と、変圧回路とを備え、ＡＣ入力を整流・平滑化した後、変圧回路により入力電源の変圧を行い所定電圧を備える電源を生成する。
【０００３】
また、従来の電源供給回路には、二次側回路に対して過電圧が供給されないよう検出回路を備えるものも開示されている（例えば、特許文献１−６参照。）。具体的には、検出回路により二次側回路に対して過電圧が供給されたことを検出した場合、電源供給回路の駆動を停止させることで、二次側回路の過電圧保護を行う。ここで、二次側回路とは、一般には、電源供給回路が備えるトランスの二次巻線に接続されることで、同電源供給回路に対して絶縁されている回路をいう。即ち、電源供給回路からトランスを介して電源を供給されている回路を意味している。なお、過電圧という場合は、少なくとも二次側回路に規定される定格電圧以上の電圧を意味している。
【先行技術文献】
【特許文献】
【０００４】
【特許文献１】特開２００５−１９８４６９号公報
【特許文献２】特開２００７−３７３７８号公報
【特許文献３】実開平７−３２９０号公報
【特許文献４】特開平８−１９５９２０号公報
【特許文献５】特開２００４−３１２９５４号公報
【特許文献６】特開２００６−２８８１５５号公報
【発明の概要】
【発明が解決しようとする課題】
【０００５】
従来の保護回路では、当該電源供給回路を定格電圧以上の電圧を備える電源との接続を解除しない限り、二次側回路への電源の供給を所定周期で繰返す場合があった。図６は、従来の保護回路による動作を説明する波形図である。図６に示すように、時刻ｔ１において、検出部が二次側回路へ出力される電源の電圧値が閾値以上であると検出すると過電圧保護が働き、二次側回路へ供給される電源の供給が停止する。この状態で電源供給回路がいまだ定格電圧以上の電源との接続を維持する場合、所定期間を経過した後、時刻ｔ３において、再度、二次側回路への電源供給が再開される。これは、二次側回路への電源の供給を停止した後時刻ｔ２において、検出電圧が閾値Ｓｔｈを下回ることによって過電圧保護が解除されるためであり、電源との接続を維持する限り保護回路は上記した保護動作の実行と解除を繰返すこととなる。上記した保護動作の実行と解除の繰り返しは、部品の消耗を早める要因ともなる。
【０００６】
本発明は、上記課題にかんがみてなされたもので、定格電圧以上の電源と接続された場合に、完結的に二次側回路への電源供給を停止することで、二次側回路の過電圧保護を行うことが可能な電源供給回路、及びこの電源供給回路を備える電子機器の提供を目的とする。
【課題を解決するための手段】
【０００７】
上記課題を解決するために、本発明では、入力された交流電源をもとに二次側回路に供給するための所定電圧の電源を生成して供給する電源供給回路において、前記入力された交流電源をもとに二次側回路の通常駆動時に使用されるメイン電源を生成する第一の電源生成回路と、前記入力された交流電源をもとに、前記メイン電源より電圧値が低い第二電源を生成する第二の電源生成回路と、前記第二の電源生成回路からの出力電圧を検出し、同電圧値が所定値以上である場合は、前記第一の電源生成回路への前記交流電源の入力を遮断する保護回路と、を有する構成としてある。
【０００８】
上記のように構成された発明は、入力された交流電源をもとに二次側回路に供給するための所定電圧の電源を生成する電源供給回路に係るものである。この電源供給回路は、外部電源から供給される交流電源をもとに、メイン電源を生成する第一の電源生成回路と、入力された交流電源をもとに、メイン電源より電圧値が低い第二電源を生成する第二の電源生成回路とを備えている。さらに、二次側回路を過電圧から保護するために、保護回路を備えており、第二の電源生成回路からの出力電圧が所定値以上である限りは、第一の電源生成回路への交流電源の入力を遮断する。ここで、保護回路は、結果として、メイン電源より電圧値の低い第二電源を二次側回路へ供給し続けるものの、この第二電源はそもそも電圧値が低く設定されているため、二次側回路への供給を維持したとしても二次側回路に致命的な破損等を生じさせない。
【発明の効果】
【０００９】
以上、説明したように本発明によれば、定格電圧以上の電源と接続された場合に、完結的に二次側回路への電源供給を停止することで、二次側回路の過電圧保護を行うことができる。
【図面の簡単な説明】
【００１０】
【図１】表示装置１０の構成を説明するためのブロック構成図である。
【図２】電源供給回路２０の一部構成を説明するための回路図である。
【図３】電源供給回路内の各部を流れる電圧の時系列での変化を説明する波形図である。
【図４】電源供給回路内の各部を流れる電圧の時系列での変化を説明する波形図である。
【図５】パルス状の電源が入力した場合の、電源供給回路内の各部を流れる電圧の時系列での変化を説明する波形図である。
【図６】従来の保護回路による動作を説明する波形図である。
【発明を実施するための形態】
【００１１】
以下、下記の順序に従って本発明の実施形態を説明する。
１．第１の実施形態：
１．１．表示装置の構成：
１．２．電源供給回路の構成：
１．３．電源供給回路の動作：
２．その他の実施形態：
【００１２】
１．第１の実施形態： 
１．１．表示装置の構成：
以下、図を参照して、この発明に係る電子機器を具体化した表示装置の形態について説明する。図１は、表示装置１０の構成を説明するためのブロック構成図である。
【００１３】
表示装置１０は、例えば、テレビジョン受像機により実現され、テレビジョン放送に係るチャンネルを表示する他、図示しない外部端子を介して映像データを受信し表示を行う。また、表示装置１０は、表示パネル１１と、チューナー部１２と、映像回路１３と、メインコントローラー１４と、ドライバー回路１５と、電源供給回路２０と、を図示しない筺体に内蔵するとともに、利用者がこの表示装置１０を遠隔操作するためのリモコン装置１６を備えて構成されている。ここで、チューナー部１２と、映像回路１３と、メインコントローラー１４とは、バスを介して互いに接続されており、メインコントローラー１４による統合的な制御を受ける。
【００１４】
チューナー部１２は、図示しないアンテナが受信したテレビジョン放送から利用者がリモコン装置１６を通じて選択したチャンネルに係るデータを抽出する。抽出されたデータの内、映像に係るデータは映像回路１３に出力され表示パネル１１の解像度に応じた画素数に変換されたり画質調整等を施されたりした後、ドライバー回路１５に出力される。
【００１５】
ドライバー回路１５は、映像データに対してデジタル・アナログ変換を行い映像データの解像度に応じた駆動電圧を生成する。この駆動電圧は、映像データの階調値に応じて画素を駆動するためのソース電圧や、画素を駆動するタイミングを設定するゲート電圧により構成される。例えば、ソース電圧は映像データの解像度（例えば２５６階調）に応じた電圧値により構成される。
【００１６】
表示パネル１１は、ＬＣＤ（Liquid Crystal Display）や、ＰＤＰ(Plasma Display Panel)、更には有機ＥＬＰ(Electro Luminescence Display)により構成され、ドライバー回路１５から出力された駆動電圧に応じて画素を駆動して映像を表示させる。表示パネル１１は、解像度に応じて縦横に画素を配列させており、この表示パネル１１がライン駆動を行う場合、ゲート電圧の出力タイミングに同期させて、走査線上の各画素にソース電圧を供給することで駆動する。
【００１７】
メインコントローラー１４は、ＣＰＵや、このＣＰＵが実行するプログラム等を記録するＲＯＭ、ＣＰＵのワークエリアとして機能するＲＡＭ、更には、リモコン装置１６からの操作入力を受付ける信号受信部とを備えて構成されている。また、メインコントローラー１４は、リモコン装置１６からの操作入力を監視するスタンバイモードと、映像表示等を実行する通常駆動モードとの間で表示装置１０の駆動を切替える。本実施形態に係るスタンバイモードでは、メインコントローラー１４のみがリモコン装置１６等からの操作入力を監視するために駆動しており、それ以外の各部には電源の供給を停止することで消費電力を低減させる。一方、通常駆動モードでは、メインコントローラー１４を含めた他の部に対しても電源が供給され、映像表示を含めた駆動を実行する。なお、上記したスタンバイモード及び通常駆動モードにおける各部の駆動は一例であり、これに限定されるものではない。
【００１８】
電源供給回路２０は、図示しない商用電源等の外部電源と電源プラグＰを介して接続し、この外部電源から供給される交流電源をもとに各部を駆動する電源を生成する。電源供給回路２０が生成する電源の一例として、スタンバイモード時において使用されるＡＬＬ３．３Ｖ電圧（第二電源、スタンバイ用電源）、通常駆動時において使用されるＡＬＬ５．０Ｖ電圧（メイン電源）、更にはソース電圧の基となる階調電圧がある。例えば、ＡＬＬ３．３Ｖ電圧はスタンバイモード時においてメインコントローラー１４が駆動を行うために使用され、ＡＬＬ５．０Ｖ電圧は通常駆動時においてメインコントローラー１４を含めた各部が駆動をするために使用される。なお、このＬＬ３．３Ｖ電圧及びＡＬＬ５．０Ｖ電圧は、スタンバイモード時及び通常駆動時の両時において電源供給回路２０により常時生成される電圧である。即ち、通常駆動時においても、ＡＬＬ３．３Ｖ電圧は生成され続ける。以下、本実施形態に係る電源供給回路２０の構成をより詳細に説明する。
【００１９】
１．２．電源供給回路の構成：
図２は、電源供給回路２０の一部構成を説明するための回路図である。電源供給回路２０は、ヒューズ２１と、第一の電源生成回路２２と、第二の電源生成回路２３と、を備えて構成されている。なお、図示しないが、電源供給回路２０はこれ以外にも、二次側回路へ供給するための電源を生成する部位を備える。
【００２０】
第一の電源生成回路２２は、外部電源からの入力をもとに、ＡＬＬ５．０Ｖ電圧を生成する回路であり、交流電源を整流する整流回路２２ａと、同じく交流電源を平滑化する平滑用コンデンサー２２ｂと、平滑化後の電源を変圧するトランス２２ｃと、を備えて構成されている。整流回路２２ａはヒューズ２１を介して電源プラグＰと入力側で接続され、出力側で平滑用コンデンサー２２ｂと接続されている。また、トランス２２ｃは入力端子側で平滑用コンデンサー２２ｂに接続されている。さらに、トランス２２ｃは巻き線比の異なる一次側巻線と二次側巻線により構成され、二次側巻線には二次側回路が接続されている。
【００２１】
第二の電源生成回路２３は、外部電源からの入力をもとに、ＡＬＬ３．３Ｖ電圧を生成する回路であり、交流電源を整流する整流回路２３ａ、同じく交流電源を平滑化する平滑用コンデンサー２３ｂ、平滑化後の電源を変圧するＳＴＢ用トランス２３ｃを備えて構成されている。なお、整流回路２３ａ及び平滑用コンデンサー２３ｂは、第一の電源生成回路２２の整流回路２２ａ及び平滑用コンデンサー２２ｂと共通であってもよい。整流回路２３ａは、ヒューズ２１を介して電源プラグＰと入力側で接続され、出力側で平滑用コンデンサー２３ｂと接続されている。また、ＳＴＢ用トランス２３ｃは、入力端子側で平滑用コンデンサー２３ｂに接続されている。さらに、ＳＴＢ用トランス２３ｃの二次側巻線には二次側回路が接続されている。
【００２２】
ここで、ＳＴＢ用トランス２３ｃは、第一の電源生成回路２２のトランス２２ｃと巻き線比が異なり、二次巻線に発生する電圧がトランス２２ｃに比べて小さくなる。また、第二の電源生成回路２３を構成する各回路の耐圧は、第一の電源生成回路２２の耐圧より高くなるよう各素子を設定する必要がある。本実施形態では、保護回路２４を外部電源から供給される２００Ｖの電源に耐えうるよう、第二の電源生成回路２３は少なくとも２００Ｖ以上の耐圧を備えるよう構成されている。
【００２３】
さらに、本実施形態に係る電源供給回路２０は、保護回路２４を備えており、二次側回路（メインコントローラー１４、チューナー部１２、映像回路１３、メインコントローラー１４）に出力される電源の電圧値が定格電圧より高い場合は、この保護回路２４により二次側回路へ供給される電源を停止することで、二次側回路の保護を行う。
【００２４】
保護回路２４は、過電圧検出回路２４ａと、ＡＣ入力遮断回路２４ｂと、サージ回路２４ｃを備えて構成されており、過電圧検出回路２４ａにより第二の電源生成回路２３に発生する電圧値を検出し、検出された電圧値が所定値以上である場合は、ＡＣ入力遮断回路２４ｂにより電源プラグＰと第一の電源生成回路２２との接続を遮断する。
【００２５】
過電圧検出回路２４ａは、ツェナーダイオードＤ１、抵抗Ｒ１〜Ｒ５、ダイオードＤ２、コンデンサーＣ１、ＦＥＴＱ１、及びフォトカプラーＦＣを備えて構成されている。ツェナーダイオードＤ１は、カソードで第二の電源生成回路２３の平滑用コンデンサー２３ｂの出力端子に接続され、アノードで直列回路を構成する抵抗Ｒ１及びＲ２を介してグランドに接続されている。また、フォトカプラーＦＣの発光側は、入力側で並列回路を構成する抵抗Ｒ３〜Ｒ５を介して平滑用コンデンサー２３ｂの出力端子に接続され、出力側でＦＥＴＱ１のドレインに接続されている。また、抵抗Ｒ４と抵抗Ｒ５を繋ぐ配線には、ダイオードＤ２及びコンデンサーＣ１がそれぞれ接続されており、平滑用コンデンサー２３ｂから出力される電圧は、コンデンサーＣ１により一定の値に保たれ、フォトカプラーＦＣの発光側を動作させる。また、フォトカプラーＦＣの受光側の入力端子はＳＴＢ用トランス２３ｃの出力端子に接続され、出力端子はＡＣ入力遮断回路２４ｂに接続されている。さらに、ＦＥＴＱ１のゲートは、抵抗Ｒ１とＲ２を繋ぐ配線間で接続されており、ツェナーダイオードＤ１が降伏した場合、抵抗Ｒ１及びＲ２の分圧比に応じた電圧がＦＥＴＱ１のゲートに印加される。
【００２６】
ＡＣ入力遮断回路２４ｂは、抵抗Ｒ６〜Ｒ８と、トランジスターＱ２と、リレーＲＬとを備えて構成されている。トランジスターＱ２は、フォトカプラーＦＣの受光側の出力端子とコレクター接続され、抵抗Ｒ８を介してリレーＲＬにエミッター接続され、抵抗Ｒ６を介してＳＴＢ用トランス２３ｃとベース接続され、同じく抵抗Ｒ７を介してグランドとベース接続されている。
【００２７】
サージ回路２４ｃは、ステップ状の印加電圧に対してＦＥＴＱ１をオンさせないための回路であり、抵抗Ｒ１とコンデンサーＣ２からなる時定数τを伴うＲＣ回路により構成される。コンデンサーＣ２は、抵抗Ｒ１と抵抗Ｒ２の接点とＦＥＴＱ１のゲートとを繋ぐ配線に接続されている。ここで、抵抗Ｒ１とコンデンサーＣ２により設定される時定数τは、入力が予測されるステップ状の印加電圧（例えば、雷）により、コンデンサーＣ２の電荷がＦＥＴＱ１のゲートの閾値電圧を超えないように設定する必要がある。なお、抵抗Ｒ１は上記したように過電圧検出回路２４ａの一部としても機能する。
【００２８】
１．３．電源供給回路の動作：
図３は、電源供給回路内の各部を流れる電圧の時系列での変化を説明する波形図である。ここで、図３は、外部電源が定格電圧（例えば１００Ｖ）である場合の各波形を示す。以下、図３−Ａは、図２の点Ａにおける電源プラグＰを介して供給される交流電源の波形を示す。また、図３−Ｂは、図２の点Ｂにおける平滑用コンデンサー２３ｂから出力電圧の波形を示す。そして、図３−Ｃは、図２の点ＣにおけるＳＴＢ用トランス２３ｃから出力されるＡＬＬ３．３Ｖ電圧の波形を示す。さらに、図３−Ｄは、図２の点ＤにおけるＦＥＴＱ１のゲートに供給されるゲート電圧を示す。また、図３−Ｅは、図２の点Ｅにおけるトランス２２ｃから出力されるＡＬＬ５．０Ｖ電圧を示す。
【００２９】
電源プラグＰが定格電圧内の外部電源に接続されている場合、この外部電源からは図３−Ａに示すように所定周期を伴った交流電源が供給される。また、この交流電源は整流回路２３ｂ及び平滑用コンデンサー２３ｂにより整流・平滑化されＳＴＢ用トランス２３ｃに出力される（図３−Ｂ）。次に、ＳＴＢ用トランス２３ｃに入力した整流平滑化後の入力電源は、巻き線比に応じて変圧され、トランスの一次巻線に交流のＡＬＬ３．３Ｖ電圧を生成させる。そのため、トランスの二次巻線には巻き線比に応じた電圧値を備えるＡＬＬ３．３Ｖ電圧が発生し、各二次側回路に供給される（図３−Ｃ）。
【００３０】
このとき、平滑用コンデンサー２３ｂからの出力は、定格電圧に基づくものであるため（図３−Ｂ）、過電圧検出回路２４ａのツェナーダイオードＤ１は降伏せず、ＦＥＴＱ１のゲート電圧は閾値電圧以下を維持する（図３−Ｄ）。そのため、ＡＣ入力遮断回路２４ｂのリレーＲＬは接点を開放せず、電源プラグＰと第一の電源生成回路２２との間の接続を維持する。その結果、第一の電源生成回路２２は、第二の電源生成回路２３と同様に生成された５ボルトのＡＬＬ５．０Ｖ電圧の出力を維持する（図３−Ｅ）。
【００３１】
図４は、電源供給回路内の各部を流れる電圧の時系列での変化を説明する波形図である。ここで、図４は、外部電源が定格電圧以上（例えば２００Ｖ）である場合の各波形を示す。以下、図３と同様に、図４−Ａは、図２の点Ａにおける電源プラグＰを介して供給される交流電源の波形を示す。また、図４−Ｂは、図２の点Ｂにおける平滑用コンデンサー２３ｂから出力電圧の波形を示す。そして、図４−Ｃは、図２の点ＣにおけるＳＴＢ用トランス２３ｃから出力されるＡＬＬ３．３Ｖ電圧の波形を示す。さらに、図４−Ｄは、図２の点ＤにおけるＦＥＴＱ１のゲートに供給されるゲート電圧を示す。また、図４−Ｅは、図２の点Ｅにおけるトランス２２ｃから出力されるＡＬＬ５．０Ｖ電圧を示す。
【００３２】
電源プラグＰが定格電圧以上の外部電源に接続されている場合、この外部電源からは図４−Ａに示すように定格電圧（例えば１００Ｖ）以上の交流電源が供給される。また、この交流電源により第二の電源生成回路２３は３．３ボルト以上（図４−Ｃでは、６．６Ｖ）のＡＬＬ３．３Ｖ電圧を生成する。このとき、平滑用コンデンサー２３ｂからの出力は閾値Ｓｔｈを超えるため（図４−Ｂ）、過電圧検出回路２４ａのツェナーダイオードＤ１を降伏する。すると、コンデンサーＣ２が充電されることにより生じる電圧によりＦＥＴＱ１のゲート電圧が閾値電圧を超え（図４−Ｄ）、フォトカプラーＦＣの発光側を発光させる。
【００３３】
フォトカプラーＦＣの受光側では、上記発光側の発光によりオンし、ＳＴＢ用トランス２３ｃから出力されるＡＬＬ３．３Ｖ電圧によりトランジスターＱ２をオンさせる。また、トランジスターＱ２のエミッターは抵抗Ｒ８を介してリレーＲＬに接続されているため、トランジスターＱ２のオンによりリレーＲＬの接点を開放し、電源プラグＰと第一の電源生成回路２２との間の接続を開放する。その結果、第一の電源生成回路２２によるＡＬＬ５．０Ｖ電圧の生成は停止し、二次側回路への電源供給を停止する（図４−Ｅ）。
【００３４】
なお、この状態において、メインコントローラー１４には、定格電圧以上の外部電源により生成されたＡＬＬ３．３Ｖ電圧が供給されることとなる。例えば、電源供給回路２０が２００Ｖの電源と接続している場合は、理論的には６．６ＶのＡＬＬ３．３Ｖ電圧が生成される。しかしながら、メインコントローラー１４は通常起動時において５．０Ｖ±α（αは定数）で駆動するよう設定されているため、供給される電源の電圧が多少高くなったとしても、破損等の致命的な問題を生じることはない。また、外部電源が余りにも高い電圧値となる場合は、ヒューズ２１が溶断することで二次側回路を保護することとなる。
【００３５】
また、保護回路２４における二次側回路の過電圧保護が実行されると、メインコントローラー１４にのみＡＬＬ３．３Ｖ電圧が供給されるため、結果として表示装置１０がスタンバイモードに移行したのと同じとなる。そのため、メインコントローラー１４は、上記保護回路２４における過電圧保護が実行されるとスタンバイモードに移行する構成としてもよい。
【００３６】
図５は、パルス状の電源が入力した場合の、電源供給回路内の各部を流れる電圧の時系列での変化を説明する波形図である。ここで、図５−Ａは、図２の点ＤにおけるＦＥＴＱ１のゲートに供給されるゲート電圧を示す。また、図５−Ｂは、図２の点Ｅにおけるトランス２２ｃから出力されるＡＬＬ５．０Ｖ電圧を示す。
【００３７】
例えば、電源プラグＰを通じて雷等のパルス状の電圧が電源供給回路２０に供給された場合、このパルス状の電圧は保護回路２４のツェナーダイオードＤ１を降伏するため、コンデンサーＣ２を充電する。しかし、抵抗Ｒ１及びコンデンサーＣ２により設定される時定数τにより、コンデンサーＣ２の電荷はＦＥＴＱ１の閾値電圧に達せず（図５−Ａ）、結果、ＦＥＴＱ１をオンしない。そのため、雷等のパルス状の電圧が印加された場合、保護回路が動作せず、第一の電源生成回路２２から二次側回路への電源を停止させてしまうことはない。以上、第１の実施形態を説明した。
【００３８】
２．その他の実施形態：
保護回路２４における検出対象は、上記したスタンバイモード時に使用されるＡＬＬ３．３Ｖ電圧に限定されない。即ち、通常起動時に使用されるＡＬＬ５．０Ｖ電圧より低い電圧であれば、二次側回路に供給され続けたとしても二次側回路を破損等することはないため、電源供給回路２０内で生成されるＡＬＬ５．０Ｖ電圧より低い電圧であればどのような電圧を検出対象としても良い。
【００３９】
また、電子機器の具体的な構成として、表示装置を用いることは一例であり、本実施形態に係る電源供給回路を備える電子機器であればどの様なものであってもよい。
そして、第一の実施形態では、スタンバイモード時においてメインコントローラー１４のみが駆動する構成としたことは一例であり、このスタンバイモード時においてリモコン装置等からの操作入力を受付ける操作入力受付部としての機能を備えるＩＣ等が駆動する構成であってもよい。
【００４０】
以上説明したように、表示装置１０では、電源供給回路２０は、二次側回路を過電圧から保護するために保護回路２４を備えている。保護回路２４は、第二の電源生成回路２３からの出力電圧が所定値以上である限りは、第一の電源生成回路２２への交流電源の入力を遮断する。即ち、図６に示すように、保護回路２４が、保護動作の実行と解除を繰り返すことがなく、部品の消耗を早めることを抑制することができる。ここで、保護回路２４は、結果として、メイン電源より電圧値の低いスタンバイ電源を二次側回路へ供給し続けるものの、スタンバイ電源はそもそも電圧値が低く設定されているため、二次側回路への供給を維持したとしても二次側回路に致命的な破損等を生じさせない。
【００４１】
また、保護回路２４は、第二の電源生成回路２３の出力電圧が所定の閾値以上である場合は、リレーＲＬにより接点を開放することで交流電源の供給を停止するため、簡易な構成により本発明を実現することができる。
さらに、保護回路は、ステップ状の交流電源の入力波形を鈍らせる抵抗とコンデンサーにより構成されたＲＣ回路を備えるため、雷等のパルス状の電圧が印加された場合、保護回路が動作せず、二次側回路への電源を停止させてしまうことはない。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…表示装置、１１…表示パネル、１２…チューナー部、１３…映像回路、１４…メインコントローラー、１５…ドライバー回路、１６…リモコン装置、２０…電源供給回路、２１…ヒューズ、２２…第一の電源生成回路、２２ａ…整流回路、２２ｂ…平滑用コンデンサー、２２ｃ…トランス、２３…第二の電源生成回路、２３ａ…整流回路、２３ｂ…平滑用コンデンサー、２３ｃ…ＳＴＢ用トランス、２４…保護回路、２４ａ…過電圧検出回路、２４ｂ…ＡＣ入力遮断回路、２４ｃ…サージ回路
【図１】
2012147539.tif 000003
【図２】
2012147539.tif 000004
【図３】
2012147539.tif 000005
【図４】
2012147539.tif 000006
【図５】
2012147539.tif 000007
【図６】
2012147539.tif 000008